(57)【要約】【課題】内装容器を外容器内に確実にセットできる二重容器を提供する。【解決手段】内装容器２の肩部には、外容器３が有する第１係合凹部３１に係合して内装容器２及び外容器３の容器軸Ｏ回りの相対移動を規制する第１係合突部２１が突設され、肩カバー４の頂壁部３２には、内装容器２が有する第２係合凹部２２に係合する第２係合突部が突設され、第２係合凹部２２には、肩カバー４と外容器３とを容器軸Ｏ回りの締め付け側Ａへ相対回転させて肩カバー４を外容器３に螺着するときに、第２係合突部に係合する係合面２２ａが形成され、第２係合突部は、係合面２２ａから容器軸Ｏ回りに離間するに従い容器軸Ｏ方向に沿う突出高さが漸次低くなっていることを特徴とする。【選択図】図１
2014005073.tif 000002
【特許請求の範囲】
【請求項１】
内容物が収容される内装容器と、
該内装容器を収納するとともに、口部の外周面に雄ねじ部が形成された外容器と、
該外容器に着脱自在に装着され、前記内装容器を前記外容器に固定する有頂筒状の肩カバーと、を備え、
前記肩カバーは、容器軸方向に沿う前記内装容器の外側から前記内装容器の肩部を覆う頂壁部と、前記外容器の前記雄ねじ部に螺着される雌ねじ部を有する螺着筒と、を有し、
前記内装容器の前記肩部、及び前記外容器の前記口部のうち何れか一方には、他方が有する第１係合凹部に係合して前記内装容器及び前記外容器の容器軸回りの相対移動を規制する第１係合突部が突設され、
前記内装容器の前記肩部、及び前記肩カバーの前記頂壁部のうち何れか一方には、他方が有する第２係合凹部に係合する第２係合突部が突設され、
前記第２係合凹部には、前記肩カバーと前記外容器とを容器軸回りの締め付け側へ相対回転させて前記肩カバーを前記外容器に螺着するときに、前記第２係合突部に係合する係合面が形成され、
前記第２係合突部は、前記係合面から容器軸回りに離間するに従い容器軸方向に沿う突出高さが漸次低くなっていることを特徴とする二重容器。
【請求項２】
前記第２係合突部は、前記頂壁部に形成されるとともに、前記肩カバーの前記外容器に対する容器軸回りの前記締め付け側から緩み側に向かうに従い、容器軸方向に沿う突出高さが漸次低くなっていることを特徴とする請求項１記載の二重容器。
【発明の詳細な説明】
【技術分野】
【０００１】
本発明は、二重容器に関する。
【背景技術】
【０００２】
従来から、内容物が収容される内装容器と、内装容器を収納するとともに、口部の外周面に雄ねじ部が形成された外容器と、外容器に着脱自在に装着され、内装容器を外容器に固定する有頂筒状の肩カバーと、を備えた二重容器が知られている。
また、内装容器には、外容器の口部に形成された切欠き部内に保持される突部が形成され、これにより内装容器及び外容器の容器軸回りの相対移動が規制されている（例えば、下記特許文献１参照）。
【先行技術文献】
【特許文献】
【０００３】
【特許文献１】特開２００４−１０６９３９号公報
【発明の概要】
【発明が解決しようとする課題】
【０００４】
しかしながら、上述した従来の二重容器では、内装容器の突部が外容器の切欠き部内に保持されていない状態で、肩カバーが組み付けられる虞があった。この場合、外容器内における正規の位置に内装容器を配置できず、内装容器が外容器内でがたつく等、内装容器のセット不良が生じる虞がある。
【０００５】
そこで、本発明は、上述した事情に鑑みてなされたものであって、その目的は、内装容器を外容器内に確実にセットできる二重容器を提供することである。
【課題を解決するための手段】
【０００６】
上記課題を解決するために、本発明は以下の手段を提案している。
本発明に係る二重容器は、内容物が収容される内装容器と、該内装容器を収納するとともに、口部の外周面に雄ねじ部が形成された外容器と、該外容器に着脱自在に装着され、前記内装容器を前記外容器に固定する有頂筒状の肩カバーと、を備え、前記肩カバーは、容器軸方向に沿う前記内装容器の外側から前記内装容器の肩部を覆う頂壁部と、前記外容器の前記雄ねじ部に螺着される雌ねじ部を有する螺着筒と、を有し、前記内装容器の前記肩部、及び前記外容器の前記口部のうち何れか一方には、他方が有する第１係合凹部に係合して前記内装容器及び前記外容器の容器軸回りの相対移動を規制する第１係合突部が突設され、前記内装容器の前記肩部、及び前記肩カバーの前記頂壁部のうち何れか一方には、他方が有する第２係合凹部に係合する第２係合突部が突設され、前記第２係合凹部には、前記肩カバーと前記外容器とを容器軸回りの締め付け側へ相対回転させて前記肩カバーを前記外容器に螺着するときに、前記第２係合突部に係合する係合面が形成され、前記第２係合突部は、前記係合面から容器軸回りに離間するに従い容器軸方向に沿う突出高さが漸次低くなっていることを特徴としている。
【０００７】
このような特徴により、内装容器を外容器内に収納したときに、仮に、内装容器の肩部及び外容器の口部のうちの何れか一方に設けられた第１係合突部と、他方が有する第１係合凹部と、が係合せず、当該他方における第１係合凹部の非形成部分上に第１係合突部が乗り上がっていたとしても、外容器に肩カバーを組み付ける過程において、肩カバーと外容器とを締め付け側へ相対回転させると、内装容器及び肩カバーのうちの何れか一方に突設された第２係合突部と、他方が有する第２係合凹部（係合面）と、が係合して、肩カバーと内装容器とが容器軸回りに共回りする。そして、肩カバー及び内装容器の外容器に対する回転に伴い、内装容器及び外容器のうちの何れか一方に突設された第１係合突部が、他方における上述した非形成部分上を摺動し、第１係合突部と第１係合凹部とが自然に係合することになる。
これにより、外容器内に内装容器を確実にセットすることができる。
さらに、このように肩カバー及び内装容器の外容器に対する回転に伴い、第１係合突部と第１係合凹部とが自然に係合することになるので、従来のように外容器の切欠き部内に内装容器の突部を保持させた状態で、外容器内に内装容器を収納させておく必要がなく、第１係合突部と第１係合凹部とを間単に係合させることができる。その結果、操作性を向上させた上で、外容器内に内装容器を確実にセットすることができる。
また、肩カバーと外容器との締め付けの最終段階で、第２係合突部と第２係合凹部（係合面）とが係合されることで、肩カバーと外容器との締め付け側への相対回転が規制されることになる。これにより、クリック感を得ることができるので、肩カバーが外容器に組み付けられたことを感触によっても明確に感じることができる。
さらに、第２係合突部は、係合面から容器軸回りに離間するに従い容器軸方向に沿う突出高さが漸次低くなっているため、内装容器の交換作業時等、肩カバーを外容器から取り外す際に、肩カバーと外容器及び内装容器とを緩み側へ相対回転させることで、第２係合突部が第２係合凹部から簡単に抜け出すことになる。そのため、第２係合突部と第２係合凹部(係合面)との係合を簡単に解除することができ、操作性のさらなる向上を図ることができる。
【０００８】
また、上記本発明の二重容器において、前記第２係合突部は、前記頂壁部に形成されるとともに、前記肩カバーの前記外容器に対する容器軸回りの前記締め付け側から緩み側に向かうに従い、容器軸方向に沿う突出高さが漸次低くなっていてもよい。
【０００９】
この場合には、頂壁部に第２係合突部を形成することで、締め込み側から緩み側に向かうに従い第２係合突部の突出高さが低くなるので、肩カバーを外容器から取り外す際に、第２係合突部と第２係合凹部との干渉を確実に防ぎ、肩カバーを外容器からより簡単に取り外すことができる。
【発明の効果】
【００１０】
本発明に係る二重容器によれば、内装容器を外容器内に確実にセットできる。
【図面の簡単な説明】
【００１１】
【図１】（ａ）は本発明の実施形態における内装容器の肩部材を示す平面図であり、（ｂ）は二重容器の側面図である。
【図２】内装容器の側面図である。
【図３】肩カバーの部分断面図である。
【図４】内装容器及び肩カバーの要部を示す拡大側面図である。
【図５】二重容器の組み付け方法を説明するための説明図である。
【発明を実施するための形態】
【００１２】
以下、図面を参照し、本発明の実施形態に係る二重容器を説明する。
図１に示すように、本実施形態の二重容器１は、有底筒状の内装容器２と、内装容器２を着脱自在に収納する有底筒状の外容器３と、外容器３の口部３ｂに着脱自在に螺着され、内装容器２を外容器３に固定する有頂筒状の肩カバー４と、を備えている。なお、図示の例では、内装容器２、外容器３、および肩カバー４それぞれの中心軸線は、共通軸上に配置されている。以下、この共通軸を容器軸Ｏといい、容器軸Ｏに沿う肩カバー４側を上側とし、外容器３側を下側とし、容器軸Ｏに直交する方向を径方向とし、さらに容器軸Ｏ回りの方向を周方向とする。
【００１３】
図１、図２に示すように、内装容器２は、内容物が収容される有底筒状の内容器１１（図２参照）と、内容器１１に装着される吐出器１２と、を備えている。
【００１４】
吐出器１２は、内容器１１内に収容された内容物を吐出する吐出部材１３、及びこの吐出部材１３を内容器１１に取り付ける取付キャップ１４を備えている。
取付キャップ１４は、容器軸Ｏ方向に延びる筒状に形成されており、上述した内容器１１の口部に螺着された装着筒１５と、装着筒１５の下端縁に連設された肩部材１６と、を備えている。
【００１５】
肩部材１６は、装着筒１５の下端縁から径方向の外側に向けて延在し、外容器３における口部３ｂの上端開口縁上に配置されるフランジ部１７と、フランジ部１７の外周部分から下方に向けて延在し、外容器３の口部３ｂ内に挿入される案内筒１８（図２参照）と、を備えている。なお、本実施形態では、取付キャップ１４の肩部材１６が内装容器２の肩部を構成している。
【００１６】
フランジ部１７は、上述した内容器１１の胴部１１ａを上方から覆うように配設されている。また、フランジ部１７の外径は、内容器１１における胴部１１ａの外径に比べて大きくなっている。案内筒１８は、外径がフランジ部１７よりも小さく形成され、かつ下方に向かうに従い漸次縮径されている。
【００１７】
フランジ部１７の外周縁には、下方に向けて突出する第１係合突部２１が周方向に間隔をあけて複数形成されている。これら第１係合突部２１は、径方向から見た側面視で矩形状に形成されるとともに、下方に向かうに従い周方向に沿う長さが漸次縮小している。また、本実施形態の各第１係合突部２１は、取付キャップ１４のフランジ部１７のうち、容器軸Ｏを径方向に挟む位置に各別に配設されている。なお、第１係合突部２１における径方向の内側端縁は、上述した案内筒１８の外周面に連設されている。
【００１８】
また、フランジ部１７の上面には、後述する第２係合突部３５に係合する第２係合凹部２２が周方向に間隔をあけて複数形成されている。これら第２係合凹部２２は、フランジ部１７の上面に対して下方に向けて窪み、上方及び径方向の外側に向けて開放されている。
【００１９】
また、第２係合凹部２２は、周方向に沿って延設されており、周方向の長さが上述した第１係合突部２１よりも長くなっている。そして、各第２係合凹部２２における周方向の両側に位置する端面のうち、肩カバー４の外容器３に対する締め付け側Ａ（図中矢印Ａ参照）の端面は、径方向に沿って延設され、肩カバー４の螺着時に第２係合突部３５が近接または当接する係合面２２ａを構成している。一方、各第２係合凹部２２における周方向の両側に位置する端面のうち、肩カバー４の外容器３に対する緩み側Ｂ（図中矢印Ｂ参照）の端面２２ｂは、径方向に対して傾斜して延設されている。これにより、第２係合凹部２２における緩み側Ｂに位置する端部は、締め付け側Ａから緩み側Ｂに向かうに従い径方向の幅が漸次縮小している。図示の例では、フランジ部１７の上面視において、端面２２ｂは、係合面２２ａに直交する方向に延在している。
【００２０】
さらに、本実施形態の各第２係合凹部２２は、肩部材１６のフランジ部１７のうち、容器軸Ｏを径方向に挟む位置に各別に形成されている。各第２係合凹部２２は、周方向の少なくとも一部が上述した各第１係合突部２１と容器軸Ｏ方向で各別に重なるように配設されている。図示の例では、各第２係合凹部２２の係合面２２ａが、上述した各第１係合突部２１に容器軸Ｏ方向で重なるように配設されている。なお、各第２係合凹部２２が第１係合突部２１と容器軸Ｏ方向で重ならないように配設しても構わない。
【００２１】
吐出部材１３は、容器軸Ｏと同軸で延びるとともに、取付キャップ１４内に固定された図示しない筒状の吐出器本体と、吐出器本体の上端部に装着された押下ヘッド２３と、を備えている。吐出器本体は、取付キャップ１４内及び内容器１１内に配設され、その内部に内容器１１内に収容された内容物が流通可能になっている。
押下ヘッド２３は、吐出器本体の上端部に上方付勢状態で配置され、装着筒１５の内側で容器軸Ｏ方向に沿って移動可能とされている。押下ヘッド２３には、吐出器本体内で流通する内容物を外部に吐出する吐出口２３ａが形成されている。
【００２２】
図１に示すように、外容器３の胴部３ａは、容器軸Ｏ方向に沿って延びる円筒形状に形成され、上述した内容器１１の胴部１１ａを径方向の外側から囲繞している。また、胴部３ａの上端開口縁には、上方に向けて開放された口部３ｂが形成され、この口部３ｂを通して外容器３内に内装容器２（内容器１１）が挿入される。口部３ｂは、胴部３ａに対して外径が縮径しており、その外周面には雄ねじ部３ｃが形成されている。
【００２３】
また、口部３ｂには、径方向に貫き、かつ上方に向けて開口する第１係合凹部３１が周方向に間隔をあけて複数形成されている。これら第１係合凹部３１は、上述した第１係合突部２１を収容可能な大きさに形成されており、第１係合突部２１に対応して、外容器３の口部３ｂのうち、容器軸Ｏを径方向に挟む各位置に各別に形成されている。そして、第１係合突部２１が第１係合凹部３１内に収容（係合）されることで、外容器３に対する内装容器２の周方向への移動が規制される。
【００２４】
図１、図３に示すように、肩カバー４は、頂壁部３２及び螺着筒３３を備えている。
螺着筒３３の内周面には、雌ねじ部３３ａが形成され、口部３ｂの雄ねじ部３ｃに螺着されている。なお、肩カバー４が外容器３に装着された状態において、螺着筒３３の外面と外容器３における胴部３ａの外面とは面一に配置されている。
【００２５】
頂壁部３２は、肩カバー４が外容器３に螺着された状態で、口部３ｂの上端開口縁との間で取付キャップ１４のフランジ部１７を容器軸Ｏ方向に挟持して、内装容器２を外容器３内に固定する。また、頂壁部３２における径方向の中央部には、容器軸Ｏ方向に沿って貫通する開口部３２ａが形成されており、この開口部３２ａ内に上述した吐出器１２の押下ヘッド２３及び装着筒１５が挿入されている。
【００２６】
ここで、図３、図４に示すように、頂壁部３２の外周部分のうち、上述した各第２係合凹部２２と容器軸Ｏ方向で重なる各部分には、第２係合凹部２２に係合する第２係合突部３５が各別に形成されている。第２係合突部３５は、頂壁部３２の下面から下方に向けて突出するとともに、周方向に沿って延設されている。
そして、各第２係合突部３５における周方向の端面のうち、前記締め付け側Ａに位置する端面は容器軸Ｏ方向に沿って延設され、上述した第２係合凹部２２の係合面２２ａに係合する被係合面３５ａとなっている。また、第２係合突部３５は、前記締め付け側Ａから前記緩み側Ｂに向かうに従い容器軸Ｏ方向に沿う突出高さが漸次低くなっている。なお、第２係合突部３５は、上述した第１係合突部２１に比べて容器軸Ｏ方向に沿う突出高さが低くなっている。
【００２７】
次に、上述した二重容器１の作用について説明する、なお、以下の説明では、図２に示す内装容器２を外容器３にセットする際のセット方法について主に説明する。また、以下の説明では、肩カバー４を外容器３に螺着する際に、肩カバー４を外容器３に対して前記締め付け側Ａへ回転させる場合について説明するが、外容器３を肩カバー４に対して締め付け側（前記締め付け側Ａとは反対側）へ回転させても構わない。
まず、図１、図５（ａ）に示すように、外容器３の口部３ｂから外容器３内に内装容器２を挿入する。これにより、内装容器２は、内容器１１が外容器３内に配設されるとともに、取付キャップ１４が外容器３の口部３ｂから上方に向けて突出した状態で外容器３内に収納される。なお、以下の説明では、図５（ａ）に示すように、第１係合突部２１が第１係合凹部３１に係合されていない状態、すなわち第１係合突部２１の下端縁が外容器３における口部３ｂの上端開口縁のうち、第１係合凹部３１の非形成部分上に乗り上がっている状態を例にして説明する。
【００２８】
次に、図１、図５（ｂ）に示すように、肩カバー４を外容器３に装着する。具体的には、押下ヘッド２３及び装着筒１５を肩カバー４の開口部３２ａ内に挿入しつつ、肩カバー４と外容器３とを容器軸Ｏ方向に沿って接近させることで、外容器３の口部３ｂ及び内装容器２の肩部（肩部材１６）が肩カバー４に覆われる。なお、以下の説明では、図５（ｂ）に示すように、第２係合突部３５が第２係合凹部２２に係合されていない状態、すなわち第２係合突部３５の下端縁がフランジ部１７の上面のうち、第２係合凹部２２の非形成部分上に乗り上がっている状態を例にして説明する。
【００２９】
次に、肩カバー４を外容器３に対して前記締め付け側Ａへ回転させ、肩カバー４を外容器３に螺着する。すると、図５（ｃ）に示すように、肩カバー４の第２係合突部３５は、フランジ部１７における第２係合凹部２２の非形成部分上（上面）を摺動した後、第２係合凹部２２内に収容される。その後、さらに肩カバー４を外容器３に対して前記締め付け側Ａへ回転させると、第２係合突部３５の被係合面３５ａが第２係合凹部２２の係合面２２ａに近接または当接して、第２係合突部３５と第２係合凹部２２とが係合するとともに、肩カバー４と内装容器２とが外容器３に対して周方向に沿って共回りする。
【００３０】
そして、図５（ｄ）に示すように、肩カバー４及び内装容器２の外容器３に対する回転に伴い、内装容器２の第１係合突部２１が、外容器３における口部３ｂの上端開口縁の第１係合凹部３１の非形成部分上を摺動して、第１係合突部２１と第１係合凹部３１とが自然に係合することになる。これにより、内装容器２が外容器３内の正規の位置に収納される。
【００３１】
また、本実施形態では、上述したように第２係合突部３５の容器軸Ｏ方向に沿う突出高さが、第１係合突部２１に比べて低くなっているため、第１係合突部２１と第１係合凹部３１とが係合される際に、第２係合突部３５と第２係合凹部２２との係合が一旦解除される。
この状態で、肩カバー４を外容器３に対して前記締め付け側Ａへ回転させることで、肩カバー４と外容器３との締め付けの最終段階で、第２係合突部３５（被係合面３５ａ）と第２係合凹部２２（係合面２２ａ）とが再び係合される。これにより、外容器３に対する肩カバー４の締め付け側Ａへの移動が規制され、二重容器１の組み付けが完了する。
【００３２】
なお、内装容器２の交換作業時等、二重容器１の組み付けを解除する場合には、上述した動作と逆の動作を行う。すなわち、肩カバー４を外容器３に対して前記緩み側Ｂへ回転させることで、第２係合突部３５が第２係合凹部２２から抜け出すことになる。そして、肩カバー４と外容器３の螺着を解除した後、肩カバー４を外容器３から取り外し、外容器３から内装容器２を抜き出す。
その後、新たな内装容器２を外容器３にセットすることで、内装容器２の交換作業が終了する。
【００３３】
このように、本実施形態によれば、内装容器２を外容器３内に収納したときに、仮に第１係合突部２１が第１係合凹部３１に係合せず、外容器３の口部３ｂにおける第１係合凹部３１の非形成部分上に乗り上がっていたとしても、外容器３に肩カバー４を組み付ける過程において、第１係合突部２１と第１係合凹部３１とが自然に係合することになる。
これにより、外容器３内に内装容器２を確実にセットすることができ、内装容器２が外容器３内でがたつく等を防止できる。
さらに、このように肩カバー４及び内装容器２の外容器３に対する回転に伴い、第１係合突部２１と第１係合凹部３１とが自然に係合することになるので、従来のように外容器３の切欠き部内に内装容器２の突部を保持させた状態で、外容器３内に内装容器２を収納させておく必要がなく、第１係合突部２１と第１係合凹部３１とを間単に係合させることができる。その結果、操作性を向上させた上で、外容器３内に内装容器２を確実にセットすることができる。
【００３４】
また、肩カバー４と外容器３との締め付けの最終段階で、第２係合突部３５と第２係合凹部２２（係合面２２ａ）とが係合されることで、肩カバー４の外容器３に対する前記締め付け側Ａへ回転が規制されることになる。これにより、クリック感を得ることができるので、肩カバー４が外容器３に組み付けられたことを感触によっても明確に感じることができる。
【００３５】
さらに、第２係合突部３５は、係合面２２ａから周方向に離間するに従い容器軸Ｏ方向に沿う突出高さが漸次低くなっているため、内装容器２の交換作業時等、肩カバー４を外容器３から取り外す際に、肩カバー４を外容器３及び内装容器２に対して前記緩み側Ｂへ回転させることで、第２係合突部３５が第２係合凹部２２から簡単に抜け出すことになる。そのため、第２係合突部３５と第２係合凹部２２(係合面２２ａ)との係合を簡単に解除することができ、操作性のさらなる向上を図ることができる。
特に、肩部材１６の頂壁部３２に第２係合突部３５を形成することで、前記締め込み側Ａから緩み側Ｂに向かうに従い第２係合突部３５の突出高さが低くなる。そのため、肩カバー４を外容器３から取り外す際に、第２係合突部３５と第２係合凹部２２との干渉を確実に防ぎ、肩カバー４を外容器３からより簡単に取り外すことができる。
【００３６】
以上、本発明の実施形態について図面を参照して詳述したが、具体的な構成はこの実施形態に限られるものではなく、本発明の要旨を逸脱しない範囲の設計変更等も含まれる。
【００３７】
例えば、上述した実施形態では、外容器３を有底筒状に形成した場合について説明したが、これに限らず、容器軸Ｏ方向の両側が開放されていても構わない。
また、上述した実施形態では、内容器１１に吐出器１２が装着された状態を内装容器２とし、肩部材１６のフランジ部１７を内装容器２の肩部としたが、内容器１１の肩部を本発明の内装容器の肩部として構成しても構わない。
【００３８】
また、上述した実施形態では、外容器３の口部３ｂに第１係合凹部３１を、内装容器２のフランジ部１７に第１係合突部２１をそれぞれ形成する場合について説明したが、これに限らず、外容器３の口部３ｂに第１係合突部を、内装容器２のフランジ部１７に第１係合凹部を形成しても構わない。
【００３９】
また、上述した実施形態では、内装容器２のフランジ部１７に第２係合凹部２２を、肩カバー４の頂壁部３２に第２係合突部３５をそれぞれ形成する場合について説明したが、これに限らず、内装容器２のフランジ部１７に第２係合突部を、肩カバー４の頂壁部３２に第２係合凹部を形成しても構わない。但し、内装容器２のフランジ部１７に第２係合突部を形成する場合には、前記締め付け側Ａから前記緩み側Ｂに向かうに従い第２係合突部の突出高さが漸次高くなるように形成することが好ましい。
【００４０】
また、上述した実施形態では、第１係合突部２１と第１係合凹部３１とが係合していない状態で、肩カバー４を装着する場合について説明したが、これに限られない。
さらに、上述した実施形態では、各係合突部２１，３５及び各係合凹部２１，２２をそれぞれ二箇所ずつ形成する場合について説明したが、これに限らず、一箇所に形成しても３箇所以上の複数箇所に形成しても構わない。
【００４１】
また、上述した実施形態では、吐出器１２が、吐出部材１３を利用して内容物を吐出させる構成について説明したが、この際の吐出部材１３は、押下ヘッド２３を介して吐出器本体を押し下げることによって内容物を吸い上げ、吐出口２３ａから吐出させるものであれば公知のもので良く、例えば、内容物を加圧しながら吐出する加圧ポンプや、内容物を液状で吐出する液ポンプや、空気シリンダ及び空気ピストンを構成に加えて内容物を泡状に吐出するフォーマーポンプや、内容物を霧状に吐出するスプレーポンプであっても構わない。さらに、ポンプタイプの吐出器１２ではなく、エアゾールタイプの吐出器１２であっても本発明は適用可能である。
さらに、上述した実施形態では、ポンプタイプやエアゾールタイプの吐出器１２を備えた内装容器について説明したが、吐出器１２を有さない構成（ポンプタイプやエアゾールタイプ以外の構成）についても本発明は適用可能である。例えば、吐出孔を有する取付キャップを内容器１１に装着する等の構成にしても構わない。すなわち、本発明は肩部が形成された内装容器を有する種々の二重容器に適用可能である。
【００４２】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００４３】
１  二重容器
２  内装容器
３  外容器
３ｃ  雄ねじ部
４  肩カバー
１６  肩部材（内装容器の肩部）
２１  第１係合突部
２２  第２係合凹部
２２ａ  係合面
３１  第１係合凹部
３３ａ  雌ねじ部
３５  第２係合突部
Ｏ  容器軸
【図１】
2014005073.tif 000003
【図２】
2014005073.tif 000004
【図３】
2014005073.tif 000005
【図４】
2014005073.tif 000006
【図５】
2014005073.tif 000007